(57)【要約】【課題】撹拌用の噴流を噴出する噴出機構部４を備え、水槽１に設置される自動接続型の水中ポンプ装置２において、噴出機構部４をポンプ本体３に対して別体化するに当り、該噴出機構部４の有無に拘わらず略鉛直姿勢に吊り下げられるようにする。【解決手段】吊り下げられるための係止部７０を、鉛直姿勢に配置されたポンプ本体３から噴出機構部４が取り外された状態のときの重心を通る鉛直線Ｌ１上の位置において吊り下げられる第１の取付位置と、鉛直姿勢に配置されたポンプ本体３に噴出機構部４が取り付けられた状態のときの重心を通る鉛直線Ｌ２上の位置において吊り下げられる第２の係止位置とに位置変更可能なように、ポンプ本体３の頂部に対し着脱可能な調整部材７０を備える。【選択図】図１１
2008025514.tif 000002
【特許請求の範囲】
【請求項１】
吊り下げられるための係止部を頂部に有し、所定の水槽に連設されている固定排管に接続された状態で該水槽内の水を吸い込んで上記固定排管に吐出するポンプ本体と、上記ポンプ本体の吐出流の少なくとも一部を上記水槽内に噴流として噴出する噴出機構部とを備え、上記係止部において吊り下げられて、上記ポンプ本体が上記固定排管に接続する上記水槽内の所定位置に設置されるようにした水中ポンプ装置であって、
上記噴出機構部は、上記ポンプ本体に対し着脱可能に設けられ、
上記係止部が、鉛直姿勢に配置された上記ポンプ本体から上記噴出機構部が取り外された状態のときの重心を通る鉛直線上に位置付けられる第１の取付位置と、鉛直姿勢に配置された上記ポンプ本体に上記噴出機構部が取り付けられた状態のときの重心を通る鉛直線上に位置付けられる第２の取付位置とに位置変更可能なように、上記ポンプ本体の頂部に対し着脱可能に設けられた調整部材を備えていることを特徴とする水中ポンプ装置。
【請求項２】
請求項１に記載の水中ポンプ装置において、
調整部材における第２の取付位置に相当する部位に、アイボルトが螺合される雌ねじが形成されていることを特徴とする水中ポンプ装置。
【請求項３】
請求項１に記載の水中ポンプ装置において、
調整部材における第２の取付位置に相当する部位に、シャックルを挿入する孔が形成されていることを特徴とする水中ポンプ装置。
【請求項４】
吊り下げられるための係止部を頂部に有し、所定の水槽に連設されている固定排管に接続された状態で該水槽内の水を吸い込んで上記固定排管に吐出するポンプ本体と、上記ポンプ本体の吐出流の少なくとも一部を上記水槽内に噴流として噴出する噴出機構部とを備え、上記係止部において吊り下げられて、上記ポンプ本体が上記固定排管に接続する上記水槽内の所定位置に設置されるようにした水中ポンプ装置であって、
上記噴出機構部は、上記ポンプ本体に対し着脱可能に設けられ、
上記係止部は、鉛直姿勢に配置された上記ポンプ本体から上記噴出機構部が取り外された状態のときの重心を通る鉛直線上の位置において吊り下げられる第１係止位置と、鉛直姿勢に配置された上記ポンプ本体に上記噴出機構部が取り付けられた状態のときの重心を通る鉛直線上の位置において吊り下げられる第２係止位置とを有することを特徴とする水中ポンプ装置。
【発明の詳細な説明】
【技術分野】
【０００１】
本発明は、下水中継ポンプ槽などの水槽において撹拌用の噴流を噴出する噴出機構部を備えた自動接続型の水中ポンプ装置に関し、特に噴出機構部がポンプ本体に対して着脱可能である場合に該噴出機構部の有無に拘わらず略鉛直姿勢に吊り下げられるようにする対策に関する。
【背景技術】
【０００２】
例えば、図２１に示すように、下水中継ポンプ槽に連設されている固定排管１００に自動接続可能な水中ポンプ装置２００は、特許文献１や特許文献２などで知られているように、アイボルトなどの係止部２０１に昇降装置のチェーン１０１を連結するとともに、スライド部２０２をガイドパイプ１０２に係合させて昇降移動せしめられるようになっており、固定排管１００への接続は、水中ポンプ装置２００が下降移動する際に、水中ポンプ装置２００の吐出部２０３の先端側に設けられた下向きのフック２０４が、固定排管１００の固定側フランジ１０３の上縁部に引っ掛けられ、水中ポンプ装置２００が自重により吐出部２０３のポンプ側フランジ２０５を固定側フランジ１０３に接合させることで自動的に行われるようになっている。
【０００３】
また、ポンプの吐出流の少なくとも一部を噴流としてポンプ槽１０４内に噴出する噴出機構部２０６を備えたものでは、ポンプ本体２０７の運転開始時などに、噴流をポンプ槽１０４内に一定時間に亘って噴出し、これにより、ポンプ槽１０４内の汚泥，浮遊油脂，スカムなどを巻き上げた後、それらを吸い込んで排出するようになっており、これらのことで、それら汚泥，浮遊油脂，スカムなどの堆積を防止できるようになされている。
【特許文献１】実開平１１−８６号公報
【特許文献２】特開平１１−３０１９８号公報
【発明の開示】
【発明が解決しようとする課題】
【０００４】
ところで、上記のような水中ポンプ装置において、噴出機構部２０６を、ポンプ本体２０７に対して別体に形成し、必要に応じて任意に取り付けられるようにすることが考えられる。
【０００５】
しかしながら、図１９に誇張して示すように、ポンプ本体２０７に噴出機構部２０６が取り付けられた状態（同図の仮想線で示す状態）のときと、ポンプ本体２０７のみの状態（同図に実線で示す状態）のときとでは、水中ポンプ装置２００の重心位置が変化することから、吊り下げられたときに傾くことになり、このために、スライド部２０２がガイドパイプ１０２に引っ掛かり、水中ポンプ装置２００の円滑な昇降移動が困難になるという問題がある。
【０００６】
また、特に、固定排管１００への接続時には、水中ポンプ装置２００が傾いていると、適正な接続が行われなくなるという虞もある。
【０００７】
本発明は、斯かる諸点に鑑みてなされたものであり，その主な目的は、撹拌用の噴流を噴出する噴出機構部を備え、下水中継ポンプ槽などの水槽に設置される自動接続型の水中ポンプ装置において、噴出機構部をポンプ本体に対して別体化するに当り、該噴出器後部の有無に拘わらず略鉛直姿勢に吊り下げられるようにすることにある。
【課題を解決するための手段】
【０００８】
上記の目的を達成すべく、本発明では、噴流機構部の着脱に伴って、重心が移動することに着目し、吊り下げられる位置を移動できるようにした。
【０００９】
具体的には、本発明では、吊り下げられるための係止部を頂部に有していて、所定の水槽に連設されている固定排管に接続された状態で該水槽内の水を吸い込んで上記固定排管に吐出するポンプ本体と、このポンプ本体の吐出流の少なくとも一部を上記水槽内に噴流として噴出する噴出機構部とを備え、上記係止部において吊り下げられて、上記ポンプ本体が上記固定排管に接続する上記水槽内の所定位置に設置されるようにした水中ポンプ装置を前提としている。
【００１０】
そして、上記の噴出機構部が、上記ポンプ本体に対し着脱可能に設けられている場合に、上記の係止部が、鉛直姿勢に配置されたポンプ本体から噴出機構部が取り外された状態のときの重心を通る鉛直線上に位置付けられる第１の取付位置と、鉛直姿勢に配置されたポンプ本体に噴出機構部が取り付けられた状態のときの重心を通る鉛直線上に位置付けられる第２の取付位置とに位置変更可能なように、上記ポンプ本体の頂部に対し着脱可能に設けられた調整部材を備えているものとする。
【００１１】
尚、上記の構成において、係止部がアイボルトである場合には、調整部材における第２の取付位置に相当する部位に、そのアイボルトが螺合される雌ねじを形成することができる。また、シャックルを係止部に連結して吊り下げる場合には、調整部材における第２の取付位置に相当する部位に、シャックルを挿入する孔を形成することができる。
【００１２】
さらに、上記のように係止部の取付位置を変更することに代えて、係止部の取付位置は変えず、その係止部における掛止位置を変更するようにすることもできる。つまり、水中ポンプ装置がチェーンにより吊り下げられる場合には、そのチェーンの下端が係止する係止部上の位置（係止位置）を変更するということである。
【発明の効果】
【００１３】
本発明では、撹拌用の噴流を噴出する噴出機構部を備え、下水中継ポンプ槽などの水槽に設置される自動接続型の水中ポンプ装置において、噴出機構部をポンプ本体に対して別体化するに当り、噴出機構部の着脱に起因する重心位置の移動に伴い、吊り下げられる位置をその重心を通る鉛直線上に位置付けることができるので、噴出機構部の有無に拘わらず略鉛直姿勢に吊り下げることができ、よって、吊下げ姿勢が傾くことに起因する不具合の発生を回避することができる。
【発明を実施するための最良の形態】
【００１４】
以下、本発明の実施形態を、図面に基づいて説明する。
【００１５】
（実施形態１）
図１は、本発明の実施形態１に係る水中ポンプ装置が設置されてなる下水中継ポンプ設備の全体構成を示しており、水中ポンプ装置は、水槽としての下水中継ポンプ槽に設置されて使用される。
【００１６】
図１において、１は、流入口５およびマンホール１１を有する下水中継ポンプ槽であり、２は、ポンプ本体３に噴出機構部としてのジェットバルブ４が取り付けられてなる水中ポンプ装置である。上記ポンプ本体３は、電動モータ（図示せず）を収容するモータケーシング３ａと、その電動モータに駆動されるポンプ機構を収容するポンプケーシング３ｂとを有しており、ポンプ槽１内に流入口５より流入した下水は、その水位が所定の運転レベル以上になると、所定の停止レベルに水位が低下するまで、上記モータの作動による水中ポンプ装置２の運転により該水中ポンプ装置２に吸い込まれた後にポンプ槽１の固定排管６から排出される。この水中ポンプ装置２の運転制御のために、ポンプ槽１内には、水位検出用の水圧センサ８と、異常水位検知用のフロートスイッチ９が配置されており、ポンプ槽１の上方には制御盤１０が設けられている。
【００１７】
水中ポンプ装置２は、ポンプ槽１のマンホール１１を経由し、ガイドパイプ１２を伝って槽内底部に下ろされ、接続機構部１３により固定排管６に接続される。水中ポンプ装置２の昇降のために、マンホール１１の蓋１４とポンプ本体３とは、昇降用チェーン１５によって連結されている。ポンプ本体３は、上記電動モータを収容するモータケーシング３ａと、このモータケーシング３ａの下方に配置されていて該電動モータに駆動されるポンプ機構を収容するポンプケーシング３ｂとを有する。そして、ポンプ本体３のモータケーシング３ａの頂部には、係止部としてのアイボルト７０が螺着されており、昇降用チェーン１５の先端は、そのアイボルト７０に連結されている。
【００１８】
上記の接続機構部１３は、水中ポンプ装置２を固定排管６に自動的に接続させるものであり、この接続により水中ポンプ装置２が固定排管６に支持されるようになっている。すなわち、接続機構部１３は、ポンプ槽１側に設けられた固定側接続部と、水中ポンプ装置２側に設けられたポンプ側接続部２２とからなっている。具体的には、上記の固定側接続部は、固定排管６の基端部両側に立設された１対のガイドパイプ１２，１２と、固定排管６の基端部に設けられた固定側接続フランジ１８と、この固定側接続フランジ１８の上縁に設けられた係合片１８ａとからなっている。一方、ポンプ本体３のポンプケーシング３ｂの側部には、図２〜図５に示すように、側方（同各図の左方）に向かって突出するように設けられた吐出部２５が一体に形成されており、上記のポンプ側接続部２２は、その突出部２５の先端側に設けられたポンプ側接続フランジ１６と、フック１７と、上記のガイドパイプに摺動可能に係合する１対のスライド凹部２３とからなっている。
【００１９】
フック１７は、ポンプ側接続フランジ１６の上部との間に下方に開口した凹部をなす状態に形成されており、このフック１７の凹部が固定側接続フランジ１８の係合片１８ａに掛止されることで水中ポンプ装置２が固定排管６に支持され、また、水中ポンプ装置２の自重によりポンプ側接続フランジ１６が固定排管６の固定側接続フランジ１８に隙間無く圧接した状態に接続されるようになっている。フック１７および係合片１８ａの互いの係合面には、上記嵌合を案内するとともに、上記接続フランジ１６，１８同士を密に接続するためのテーパが形成されている。
【００２０】
上記ポンプ本体３は遠心ポンプであり、そのポンプケーシング３ｂは、図６に示すように、羽根車（図示せず）を収容しかつ上記の吐出部２５に連通するポンプ室２７を内有する渦巻形をなしている。ポンプケーシング３ｂの下部には、吸込口３０が開口されている。また、ポンプケーシング３ｂの側部における上記吐出部２５の上流側の部位には、上記ジェットバルブ４を取り付けるための取付部２８が設けられている。この取付部２８の開口は、ジェットバルブ４が取り外されるときには、ポンプケーシング３ｂに取付ボルト４１でもって取り付けられる蓋部材４０により水密状に閉じられるようになっている。
【００２１】
上記ジェットバルブ４は、水中ポンプ装置２の運転開始時、ポンプ本体３の吐出流の少なくとも一部をジェット流として槽１内に噴出させるものである。図７に示すように、そのジェットバルブ４のケーシング３１は、ポンプ本体３のポンプケーシング３ｂに上記取付部２８において取り付けられるケーシング本体４５と、その下側に結合されたダイヤフラムカバー４６とからなっており、ケーシング本体４５の上側には保護カバー４７が設けられている。
【００２２】
上記ケーシング３１の内部は、下部ダイヤフラムにより上下２つの空間が区画形成されている。上部は、ボール状の弁体４９を収容する弁収容部５１であり、下部は、弁収容部５１の下方に位置していて、作動流体としてのオイルを収容する下部オイル室５２である。下部ダイヤフラム４８は例えばゴム製のものであり、その周縁部は、ケーシング本体４５とダイヤフラムカバー４６との間に挟持されている。
【００２３】
一方、ケーシング本体４５の頂部には、凹部が形成されている。この凹部の周縁部と保護カバー４７との間には、例えばゴムなどからなる上部ダイヤフラム５３の周縁部が挟持されており、これらケーシング本体４５の凹部と上部ダイヤフラム５３とによって上部オイル室５４が形成されている。保護カバー４７は上部ダイヤフラム５３を保護するものである。
【００２４】
下部オイル室５２と上部オイル室５４とは、ケーシング本体４５，ダイヤフラムカバー４６および下部ダイヤフラム４８に形成されたオイル通路５５によって連通しており、ダイヤフラムカバー４６には、オイル通路５５のオイル流量を調整する調整弁５６が取り付けられている。
【００２５】
ケーシング本体４５の上部には、ポンプ本体３のポンプケーシング３ｂにおける取付部２８の開口から吐出された噴流を該ケーシング本体４５内部に導入するための流入部３２が設けられている。ケーシング本体４５はポンプ本体３のポンプケーシング３ａに対し、ケーシング本体４５の流入部３２上流端に形成したフランジ３２ａを取付部２８に締結することで取り付けられる。そして、流入部３２の内部には、ポンプ本体３のポンプ室２７と弁収容部５１とを連通させる噴流用通路５７が形成されており、この噴流用通路５７を介して、ポンプ本体３のポンプケーシング３ａから弁収容部５１へ噴流が流入する。
【００２６】
一方、ケーシング本体４５の上部における流入部３２とは反対の側には、該流入部３２から流入した噴流を外部に流出させる吐出部３３が設けられている。この吐出部３３は、内部を流れる噴流によってエジェクタ効果を発生させるエジェクタ機構３４と、このエジェクタ機構３４を通過した噴流をポンプ槽１内に吐出する吐出口３６を有するノズル３５とを備えており、このノズル３５はエジェクタ機構３４の下流端に取り付けられている。
【００２７】
エジェクタ機構３４には、弁収容部５１に通じて該弁収容部５１から噴流を流出させる流出孔５８が形成されており、この流出孔５８の上流端には上記の弁体４９が着座可能な弁座５９が設けられている。このように構成されたエジェクタ機構３４は、弁収容部５１内の噴流が内部を通過することによって噴流の流速が増大し且つ静圧が低下する。
【００２８】
ダイヤフラムカバー４６はケーシング３１の底壁を構成し、この底壁は下部ダイヤフラム４８を底壁に沿わせて収めるべく下方へ突出した凸曲面状に形成されている。そうして、該底壁の周囲に、当該ジェットバルブ４を平坦面上で自立させるための３つの脚部６２，６２が設けられている。
【００２９】
上記３つの脚部６２，６２のうちの１つの脚部６２の内側には、該脚部６２の上部と凸曲面状底壁との間に亘って延びかつ下方へ膨出する膨出部が形成され、当該脚部６２と膨出部とによって上記調整弁５６の取付部６３が形成されている。すなわち、当該脚部６２の外面から膨出部へ延びる調整弁用取付孔が形成されており、この取付孔に調整弁５６がねじ込まれている。
【００３０】
そして、本実施形態では、上記のアイボルト７０は、図２および図３に示すように、鉛直姿勢に配置されたポンプ本体３からジェットノズル４が取り外された状態のときの重心を通る鉛直線Ｌ１上の位置において吊り下げられる第１の取付位置と、図４および図５に示すように、鉛直姿勢に配置されたポンプ本体３にジェットノズル４が取り付けられた状態のときの重心を通る鉛直線Ｌ２上の位置において吊り下げられる第２の取付位置とにそれぞれ位置変更可能とされている。
【００３１】
具体的には、図８〜図１０に示すように、ポンプ本体３のモータケーシング３ａの頂部の略中央は、平面Ｄ字状に盛り上がった隆起部３ｃとされており、この隆起部３ｃにおいて、鉛直姿勢に配置されたポンプ本体３にジェットノズル４が取り外された状態のときの重心を通る鉛直線Ｌ１上の位置には、アイボルト７０を取り付けるためのボルト穴７１が設けられている。そして、ジェットノズル４が取り外されているときは、このボルト穴７１にアイボルト７０が取り付けられる。
【００３２】
一方、ジェットノズル４が取り付けられているときは、アイボルト７０の取付位置を変更するために、調整部材７２を用いる。この調整部材７２は略直方体をなしており、その底面には、上記の隆起部３ｃが嵌入可能な凹部７２ａが形成されている。また、調整部材７２の上面側略中央には、該調整部材７２をモータケーシング３ａに取り付けるためのボルト挿通孔７３が設けられており、このボルト挿通孔７３に通した取付用ボルト７４の軸部を上記のボルト穴７１に螺合させることで、モータケーシング３ａに取り付けられるようになっている。
【００３３】
この調整部材７２には、該調整部材７２がモータケーシング３ａに取り付けられた状態における上記鉛直線Ｌ２上の位置に、アイボルト７０を取り付けるための雌ねじとしてのボルト穴７５が設けられている。つまり、ジェットノズル４が取り付けられるときには、ポンプケーシング３ａから一旦アイボルト７０を取り外し、その代りに調整部材７２を取り付け、この調整部材７２のボルト穴７５に上記のアイボルト７０を再び取り付けることとなる。
【００３４】
ここで、上記のように構成された水中ポンプ装置２が吊り下げられるときの作用を、図１１を参照しつつ説明する。
【００３５】
先ず、ポンプ本体３にジェットノズル４が取り付けられていないとき、つまり、吊り下げられるのがポンプ本体３のみであるときは、アイボルト７０は、水中ポンプ装置２におけるポンプ本体３のポンプケーシング３ａのボルト穴７１に取り付けられる。そして、昇降装置のチェーン１５は、このアイボルト７０に係止される。このとき、アイボルト７０は、鉛直姿勢にある水中ポンプ装置２の重心を通る鉛直線Ｌ２上に位置しているので、図１１に実線で示すように、ポンプ本体３のみの水中ポンプ装置２は略鉛直姿勢の状態に吊り下げられる。
【００３６】
一方、ポンプ本体３にジェットノズル４が取り付けられているとき、つまり、吊り下げられるのがポンプ本体３およびジェットノズル４であるときは、アイボルト７０は、水中ポンプ装置２におけるポンプ本体３のポンプケーシング３ａの頂部に、調整部材７２を介して取り付けられる。つまり、アイボルト７０の取付位置は、上記ボルト穴７１から調整部材７２上のボルト穴７５に変更され、そのアイボルト７０に昇降装置のチェーン１５が係止される。このとき、アイボルト７０は、鉛直姿勢にある水中ポンプ装置２の重心を通る鉛直線Ｌ１上に位置しているので、図１１に仮想線で示すように、ポンプ本体３にジェットノズル４が取り付けられた状態の水中ポンプ装置２は略鉛直姿勢の状態に吊り下げられる。
【００３７】
したがって、本実施形態によれば、吊り下げられるためのアイボルト７０を頂部に有していて、下水中継ポンプ槽１に連設されている固定排管６に接続された状態で該ポンプ槽１内の下水を吸い込んで固定排管６に吐出するポンプ本体３と、このポンプ本体３の吐出流の少なくとも一部をポンプ槽１内にジェット流として噴出するジェットノズル４とを備え、上記のアイボルト７０において吊り下げられて、ポンプ本体３が固定排管６に接続するポンプ槽１内の所定位置に設置されるようにした水中ポンプ装置２において、上記のジェットノズル４をポンプ本体３に対して別体化する場合に、アイボルト７０を、鉛直姿勢に配置されたポンプ本体３からジェットノズル４が取り外された状態のときの重心を通る鉛直線Ｌ１上に位置付けられる第１の取付位置と、鉛直姿勢に配置されたポンプ本体３にジェットノズル４が取り付けられた状態のときの重心を通る鉛直線Ｌ２上に位置付けられる第２の取付位置とにそれぞれ位置変更可能に設けるようにしたので、ジェットノズル４の有無に拘わらず、水中ポンプ装置２を略鉛直姿勢に吊り下げることができる。よって、吊り下げられたときに傾くことに起因して、スライド凹部２３がガイドパイプ１２に引っ掛かって水中ポンプ装置２の円滑な昇降移動が困難になるという事態や、そのような傾きに起因して固定排管６に対する水中ポンプ装置２の適正な接続が困難になるという事態を回避することができる。
【００３８】
（実施形態２）
図１２〜図１５は、本発明の実施形態２に係る水中ポンプ装置の全体構成を示しており、この水中ポンプ装置２も、実施形態１の場合と同じく、下水中継ポンプ槽１内に設置されて下水中継ポンプ設備を構成するために使用される。
【００３９】
本実施形態では、水中ポンプ装置２は、図１２および図１３に示すように、該水中ポンプ装置２を吊り下げるための把手型の係止部８０を備えている。具体的には、ポンプ本体３のモータケーシング３ａの頂部には、各々、上方に向かって突出する２つの突出部３ｄ，３ｄが設けられており、各突出部３ｄの上面側にはそれぞれボルト穴８１（図１７参照）が設けられている。また、これら２つの突出部３ｄ，３ｄ間には、把手状の係止部材８２が横架されている。この係止部材８２は、両端側部分が互いに下向きに略直角に折り曲げられ、さらにその端部が側方に向かって略直角に折り曲げられており、各端部には、ボルト挿通孔（図示せず）が設けられている。この係止部材８２は、２本の取付用ボルト８３を上記ボルト挿通孔に挿通させ、その各軸部を突出部３ｄのボルト穴８１に螺着することでモータケーシング３ａに取り付けられている。また、係止部材８２の長さ方向略中央部分は、上方に向かって突出する逆Ｖ字状に形成されており、その頂部において昇降用のチェーン１５が連結されるようになっている。つまり、この頂部により，本発明における第１の係止位置が構成されている。
【００４０】
そして、本実施形態では、上記の係止部８０は、鉛直姿勢に配置されたポンプ本体３からジェットバルブ４が取り外された状態のときの重心を通る鉛直線Ｌ１上の位置において吊り下げられる第１の係止位置（図１２および図１３参照）と、図１４および図１５に示すように、鉛直姿勢に配置されたポンプ本体３にジェットバルブ４が取り外された状態のときの重心を通る鉛直線Ｌ２上の位置において吊り下げられる第２の係止位置とを有する。
【００４１】
具体的には、係止部８０の係止位置を第１の係止位置から第２の係止位置に変更するときには、図１６および図１７に示す調整部材８５を用いる。この調整部材８５は、モータケーシング３ａの２つの突出部３ｄ，３ｄ間に横設される横設部分と、この横設部分における一方の端部側（同各図の左方の端部側）において側方（図１６の下方）に向かって張り出すように設けられた張出部分とからなっている。横設部分の両端部には、それぞれ、ボルト挿通孔８６が設けられており、２本の取付用ボルト８７をそれぞれボルト挿通孔８６に挿通し、各軸部を突出部３ｄのボルト穴８１に螺着することで調整部材８５がポンプケーシング３ａに取り付けられるようになっている。そして、調整部材８５の張出部分には、ボルト孔８８が設けられており、このボルト孔８８にアイボルト８９を取り付けることにより上記第２の係止位置が構成されるようになっている。尚、本実施形態のその他の構成は実施形態１の場合と同じであるので、説明は省略する。
【００４２】
次に、上記のように構成された水中ポンプ装置２が吊り下げられるときの作用を、図１８を参照しながら説明する。
【００４３】
先ず、ポンプ本体３からジェットノズル４が取り外されているとき、つまり、吊り下げられるのがポンプ本体３のみであるときは、ポンプケーシング３ａの突出部３ｄには、係止部材８２が取り付けられる。そして、昇降装置のチェーン１５は、係止部材８２の長さ方向中央位置（逆Ｖ字状の頂部の位置）に係止される。このとき、水中ポンプ装置２に対するチェーン１５の係止位置は、鉛直姿勢にある水中ポンプ装置２の重心を通る鉛直線Ｌ１上に位置しているので、図１８に実線で示すように、ポンプ本体３のみの水中ポンプ装置２は略鉛直姿勢の状態に吊り下げられる。
【００４４】
一方、ポンプ本体３にジェットノズル４が取り付けられているとき、つまり、吊り下げられるのがポンプ本体３およびジェットノズル４であるときは、水中ポンプ装置２におけるポンプ本体３のポンプケーシング３ａの頂部には、アイボルト８９が調整部材８５を介して取り付けられる。つまり、チェーン１５の係止位置は、係止部材８２の長さ方向中央から、調整部材８５上のアイボルト８９に変更される。このとき、水中ポンプ装置２に対するチェーン１５の係止位置、つまりアイボルト８９の位置は、鉛直姿勢にある水中ポンプ装置２の重心を通る鉛直線Ｌ２上であるので、図１８に仮想線で示すように、ポンプ本体３にジェットノズル４が取り付けられた状態の水中ポンプ装置２は略鉛直姿勢の状態に吊り下げられる。
【００４５】
したがって、本実施形態によっても、実施形態１の場合と同様の効果を得ることができる。
【００４６】
尚、上記の実施形態では、チェーン１５の先端を水中ポンプ装置２の１箇所のみに係止（連結）するようにしているが、２箇所において係止するようにしてもよい。
【００４７】
（実施形態３）
図１９および図２０は、本発明の実施形態３に係る水中ポンプ装置の要部を示しており、本実施形態では、実施形態２の調整部材８５とは異なる調整部材８５ａを用いており、そのことで、アイボルト８９を用いなくて済みようにしている。
【００４８】
具体的には、調整部材８５ａは、実施形態２の場合と同じく、横設部分と張出部分とからなっている。張出部分上には、略台形状の突起片が上方に向かって突出する状態に設けられており、この突起片には、横設部分の延びる方向に直交する水平方向に貫通する係止孔９０が設けられている。この係止孔９０は、図示は種略するが、昇降用チェーン１５の先端に取り付けられたシャックルのボルトが挿通可能なように形成されており、ポンプ本体３にジェットバルブ４が取り付けられているときには、昇降用チェーン１５を調整部材８５に連結するに当り、上記シャックルのボルトが挿通されるようになっている。
【００４９】
したがって、本実施形態においても、実施形態２の場合と同様に効果を得ることができる。
【００５０】
尚、上記の各実施形態では、ポンプ本体３からジェットバルブ４を取り外すときには調整部材７２，８５，８５ａを使用せず、ポンプ本体３にジェットバルブ４を取り付けるときに調整部材７２，８５，８５ａを使用するようにしているが、逆に、ポンプ本体３からジェットバルブ４を取り外すときに調整部材を使用し、ポンプ本体３にジェットバルブ４を取り付けるときにはその調整部材を使用しないようにしてもよい。
【図面の簡単な説明】
【００５１】
【図１】図１は、本発明の実施形態１に係る水中ポンプ装置が設置されてなる下水中継ポンプ設備の全体構成を模式的に示す断面図である。
【図２】図２は、ポンプ本体からジェットノズルが取り外されたときの水中ポンプ装置の全体構成を示す側面図である。
【図３】図３は、図２の平面図である。
【図４】図４は、ポンプ本体にジェットノズルが取り付けられたときの水中ポンプ装置の全体構成を示す図である。
【図５】図５は、図４の平面図である。
【図６】図６は、ポンプ本体における吐出流路を示す横断面図である。
【図７】図７は、図４のVII−VII線断面図である。
【図８】図８は、ポンプ本体の頂部を示す平面図である。
【図９】図９は、図８のIX−IX線断面図である。
【図１０】図１０は、図８Ｘ−Ｘ線断面図である。
【図１１】図１１は、ジェットバルブが取り外されたときおよび取り付けられたときの各水中ポンプ装置の吊り下げられた状態を併せて示す側面図である。
【図１２】図１２は、本発明の実施形態２に係る水中ポンプ装置においてポンプ本体からジェットノズルが取り外されたときの全体構成を示す図２相当図である。
【図１３】図１３は、図１２の平面図である。
【図１４】図１４は、ポンプ本体にジェットノズルが取り付けられたときの水中ポンプ装置の全体構成を示す図４相当図である。
【図１５】図１５は、図１４の平面図である。
【図１６】図１６は、ポンプ本体の頂部を示す図８相当図である。
【図１７】図１７は、図１６のXVII−XVII線断面図である。
【図１８】図１８は、ジェットバルブが取り外されたときおよび取り付けられたときの各水中ポンプ装置の吊り下げられた状態を併せて示す図１１相当図である。
【図１９】図１９は、本発明の実施形態３に係る水中ポンプ装置の要部を拡大して示す側面図である。
【図２０】図２０は、図１９のXX−XX線断面図である。
【図２１】図２１は、従来の水中ポンプ装置においてジェットバルブを着脱式にした場合に該ジェットバルブが取り外されたときおよび取り付けられたときの各水中ポンプ装置の吊り下げられた状態を併せて示す図１１相当図である。
【符号の説明】
【００５２】
１  下水中継ポンプ槽（水槽）
２  水中ポンプ装置
３  ポンプ本体
４  ジェットバルブ（噴出機構部）
６  固定排管
７０  アイボルト（係止部）
７２  調整部材
７５  ボルト穴（雌ねじ）
８０  係止部
８２  係止部材
８５  調整部材
８５ａ  調整部材
８８  アイボルト
９０  挿通孔（シャックル挿入用孔）
Ｌ１  （ジェットバルブ無しのときの重心を通る）鉛直線
Ｌ２  （ジェットバルブ有りのときの重心を通る）鉛直線
【図１】
2008025514.tif 000003
【図２】
2008025514.tif 000004
【図３】
2008025514.tif 000005
【図４】
2008025514.tif 000006
【図５】
2008025514.tif 000007
【図６】
2008025514.tif 000008
【図７】
2008025514.tif 000009
【図８】
2008025514.tif 000010
【図９】
2008025514.tif 000011
【図１０】
2008025514.tif 000012
【図１１】
2008025514.tif 000013
【図１２】
2008025514.tif 000014
【図１３】
2008025514.tif 000015
【図１４】
2008025514.tif 000016
【図１５】
2008025514.tif 000017
【図１６】
2008025514.tif 000018
【図１７】
2008025514.tif 000019
【図１８】
2008025514.tif 000020
【図１９】
2008025514.tif 000021
【図２０】
2008025514.tif 000022
【図２１】
2008025514.tif 000023